【事件の表示】
　特願２００３−　　６０６０「光ディスク再生装置と同装置に適用される光検出信号のレベル調整方法」拒絶査定不服審判事件〔平成１６年　８月　５日出願公開、特開２００４−２２０６８３〕について、次のとおり審決する。
【結　論】
　本件審判の請求は、成り立たない。
【理　由】
I．手続の経緯
　本件審判の請求に係る特許願（以下「本願」という。）は、平成15年１月14日に出願されたものであって、平成17年５月23日に手続補正されたものの平成18年４月28日付けで拒絶査定された。その後、平成18年６月１日付けで拒絶査定不服審判が請求され、平成18年７月３日付けで手続補正されたものである。
　
　
II．平成18年７月３日付け手続補正についての却下の決定
　
　〔補正却下の決定の結論〕
　平成18年７月３日付け手続補正を却下する。
　
　〔理由〕
　１．平成18年７月３日付け手続補正（以下「本件補正」という。）についての補正の内容
　
　本件補正による補正内容は、特許請求の範囲の請求項１に係る発明に関しては、以下のものである。
　
　−本件補正前−
「【請求項１】　光ディスクに対してレーザ光を照射する半導体レーザと、この半導体レーザから光ディスクに対して照射されたレーザ光を光ディスク面に集光する対物レンズと、この対物レンズを介して光ディスク面上に照射されたレーザ光に対する光ディスク面からの反射光を検出する光検出器とを有し、前記光検出器の受光部が４つの領域に分割された分割フォトダイオードで構成された光ピックアップと、
　前記光検出器から出力された信号に基づいて光ディスクに記録されている情報に対応したＲＦ信号と、前記対物レンズを介して光ディスク面に照射する光の集光点の光ディスク面に対するずれ量に対応する信号であるフォーカスエラー信号と、前記対物レンズを介して光ディスク面に照射する光の集光点の光ディスク面上におけるトラックからのずれ量に対応する信号であるトラッキングエラー信号とを生成する信号処理部と、
　前記信号処理部から出力されたフォーカスエラー信号とトラッキングエラー信号とに基づいて対物レンズの位置を調整して、半導体レーザにより照射されるレーザ光の集光位置を調整するサーボ制御手段と、
　前記信号処理部から出力されたＲＦ信号に基づいて光ディスクに記録された映像、音声等の情報を再生する情報再生手段と、
　前記光ピックアップ、前記信号処理部、前記サーボ制御手段、及び前記情報再生手段を制御する制御手段とを備え、
　前記信号処理部が非点収差法でフォーカスエラー信号を生成する光ディスク再生装置において、
　前記光検出器における分割された各受光部からの検出信号のレベルを調整するレベル調整手段をさらに備え、
　前記レベル調整手段は、前記各受光部からの各検出信号のレベルを調整するための複数のアンプ回路と、これら各アンプ回路から出力された各アナログ信号をデジタル信号に変換する複数のＡ／Ｄコンバータと、これら各Ａ／Ｄコンバータから出力された各デジタル信号を前記制御手段に取り込むための複数の配線とを有し、      　
　前記制御手段は、前記光検出器の貼り付けが機械的に行われることに起因する、前記各受光部からの各検出信号のレベルの相違の問題を解消するために、フォーカスサーチ動作が行われているときに、前記各配線を介して前記各Ａ／Ｄコンバータから取り込んだ各デジタル信号に基づいて、前記各アンプ回路から出力される各アナログ信号のレベルが同じレベルとなるように前記各アンプ回路を制御し、これらの各アナログ信号に基づいて、前記信号処理部が正確なフォーカスエラー信号を生成するようにしたことを特徴とする光ディスク再生装置。」
　
　−本件補正−
「【請求項１】　光ディスクに対してレーザ光を照射する半導体レーザと、この半導体レーザから光ディスクに対して照射されたレーザ光を光ディスク面に集光する対物レンズと、この対物レンズを介して光ディスク面上に照射されたレーザ光に対する光ディスク面からの反射光を検出する光検出器とを有し、前記光検出器の受光部が４つの領域に分割された分割フォトダイオードで構成された光ピックアップと、
　前記光検出器から出力された信号に基づいて光ディスクに記録されている情報に対応したＲＦ信号と、前記対物レンズを介して光ディスク面に照射する光の集光点の光ディスク面に対するずれ量に対応する信号であるフォーカスエラー信号と、前記対物レンズを介して光ディスク面に照射する光の集光点の光ディスク面上におけるトラックからのずれ量に対応する信号であるトラッキングエラー信号とを生成する信号処理部と、
　前記信号処理部から出力されたフォーカスエラー信号とトラッキングエラー信号とに基づいて対物レンズの位置を調整して、半導体レーザにより照射されるレーザ光の集光位置を調整するサーボ制御手段と、
　前記信号処理部から出力されたＲＦ信号に基づいて光ディスクに記録された映像、音声等の情報を再生する情報再生手段と、
　前記光ピックアップ、前記信号処理部、前記サーボ制御手段、及び前記情報再生手段を制御する制御手段とを備え、
　前記信号処理部が非点収差法でフォーカスエラー信号を生成する光ディスク再生装置において、
　前記光検出器における分割された各受光部からの検出信号のレベルを調整するレベル調整手段をさらに備え、
　前記レベル調整手段は、前記各受光部からの各検出信号のレベルを調整するための複数のアンプ回路と、これら各アンプ回路から出力された各アナログ信号をデジタル信号に変換する複数のＡ／Ｄコンバータと、これら各Ａ／Ｄコンバータから出力された各デジタル信号を前記制御手段に取り込むための複数の配線とを有し、
フォーカスエラー信号からクロストーク成分を除去するために設けられたものではなく、 
　前記制御手段は、前記光検出器の貼り付けが機械的に行われることに起因する、前記各受光部からの各検出信号のレベルの相違の問題を解消するために、フォーカスサーチ動作が行われているときに、前記各配線を介して前記各Ａ／Ｄコンバータから取り込んだ各デジタル信号に基づいて、前記各アンプ回路から出力される各アナログ信号のレベルが同じレベルとなるように前記各アンプ回路を制御し、これらの各アナログ信号に基づいて、前記信号処理部が正確なフォーカスエラー信号を生成するようにしたことを特徴とする光ディスク再生装置。」
　
　要するに、上記下線部構成を追加する内容である。
　
　２．補正の適否
　(i)本件補正の請求項１に記載された「
フォーカスエラー信号からクロストーク成分を除去するために設けられたものではなく、
　(ii)また、本件補正後の上記追加された構成要件は、独立請求項である請求項１に記載の「レベル調整手段」について、発明を特定するために必要な事項を否定的な表現を用いることで「フォーカスエラー信号からクロストーク成分を除去するために設けられたものではない、」事項を達成する構成要件は何であるかの点等で不明確にするものであって、クロストークについては願書に最初に添付した明細書又は図面に記載されたものでなく、限定するものとはいえず、明りようでない記載の釈明にも当たらない。そして、本件補正による補正の内容が特許請求の範囲全体からみて請求項の削除にも、誤記の訂正にも当たらないことは明らかである。
　
　したがって、上記(i)のとおり本件補正は願書に最初に添付した明細書又は図面に記載した事項の範囲内においてしたものでなく特許法17条の２第３項の規定に違反し、さらに上記(ii)のとおり平成18年改正前特許法第17条の２第第４項各号の規定のいずれにも違反する。
　
　３．補正についての結び
　以上のとおりであるから、本件補正は、特許法第159条第１項の規定において読み替えて準用する同法第53条第１項の規定により却下すべきものである。
　
　
III．本願発明について
　１．本願発明
　平成18年７月３日付けの手続補正は、上記のとおり却下されたので、本願の請求項１に係る発明は、平成17年５月23日付け手続補正で補正された明細書の特許請求の範囲の請求項１に記載された事項により特定される、上記II．〔理由〕１．−本件補正前−に記載（以下「本願発明」という。）するとおりのものである。
　
　
　２．刊行物及びその記載
　原査定の拒絶理由に引用された特開平６−176371号公報（以下「刊行物」という。）は、光ディスク光装置に関してのもので、以下の記載がある。（なお、下線は当審で付与した。）
　(a)「【０００１】
【産業上の利用分野】この発明は、光スポットと光ディスクの目標トラックとの誤差を検出するトラッキングエラー検出部と、光スポットと光ディスク上の合焦点との誤差を検出するフォーカスエラー検出部のそれぞれのオフセットとゲインの自動調整を行うオフセット・ゲイン調整部を備えた光ディスク装置に関する。　　　　
【０００２】
【従来の技術】従来、この種の光ディスク装置として、主要部が図７に示すような構成を有するものが知られている。
図７において、参照符号１０は光ディスクを示し、この光ディスク１０に対して光ヘッド２０が対向するよう配置される。光ヘッド２０には、光ヘッド２０を上下方向に移動させるフォーカスアクチュエータ２２と、光ヘッド２０を光ディスク１０の半径方向に移動させるトラッキングアクチュエータ２４と、光スポット２６の反射光により、光ディスク１０上の光スポット２６の合焦（ジャストフォーカス）位置からの偏差および光スポット２６とトラックの中心との位置偏差を検出するための光学系２８とが備え
【０００３】
フォーカスエラー検出部３０は光学系２８で得られた光スポット２６の合焦位置からの偏差をフォーカスエラー信号ｆｅとして出力し
【０００４】
光ヘッド２０の制御を行うプロセッサ４０は、フォーカスエラー信号ｆｅをアナログ／ディジタルコンバータ（以下、ＡＤコンバータまたはＡＤＣと称する）３４によりディジタル化した信号ＦＥに基づいてフォーカスドライブ信号ＦＤを出力するフォーカス制御部４２と、トラッキングエラー信号ｔｅをＡＤＣ３６によりディジタル化した信号ＴＥ
に基づいてトラッキング信号ＴＤを出力するトラッキング制御部４４と
【０００５】ここで、このように構成される従来の光ディスク装置の、フォーカスエラー検出部３０およびトラッキングエラー検出部３２の回路図を図８に示す。以下、図８を用いてフォーカスエラー検出部３０およびトラッキングエラー検出部３２について詳細に説明する。
【０００６】
フォーカスエラー検出部３０およびトラッキングエラー検出部３２は、それぞれフォトダイオード（ＰＤ）部６０と増幅回路（ＡＭＰ）部７０とから構成される
フォーカスエラー検出部３０の場合、ＰＤ部６０は図９に示すように４分割のフォトダイオード（ＰＤ１(マルに１)〜ＰＤ(マルに４)）から構成されており、光ディスク１０からの光スポット２６の反射光を入力とし、フォトダイオードの対角成分（ＰＤ(マルに１)とＰＤ(マルに３)、ＰＤ(マルに２)とＰＤ(マルに４)）に流れる電流を出力する
【０００７】ＡＭＰ部７０は２個の電流−電圧変換アンプ（Ｉ−Ｖ変換アンプ）７２，７４と差動アンプ７６，各２本の３種類の抵抗Ｒ０，Ｒ１，Ｒ２および可変抵抗ＶＲ（なおここで、ＶＲ＜＜Ｒ２）から構成され、ＰＤ部６０からの出力電流Ｉ１，Ｉ２を入力として、入力電流の差（Ｉ１−Ｉ２）に比例した出力電圧ＶＯを出力し、次式で表される。　
【０００８】・・・（省略）・・・
【０００９】一般に、
光ディスク１０、光学系２８およびＰＤ部６０には個体差が有るため、両エラー検出部３０，３２の検出感度は倍半分程度のバラツキが発生する
　
　(b)「【００１０】
【発明が解決しようとする課題】しかしながら、前述した光ディスク装置によれば、光ディスク、光学系の個体差により生じる両エラー検出部のゲインのバラツキや、両エラー検出部のオフセットのバラツキに対処するため、ＡＤコンバータとしてはバラツキも含めてプロセッサに取り込めるようなダイナミックレンジの広いＡＤコンバータを使用する必要がある上に、オフセットを人手によりＡＭＰ部内の可変抵抗を使って粗調整するという作業も必要であったため、コスト高になるという難点があった。また、このオフセット調整は製品出荷時のみ行うものであり、ＡＭＰ部の特性の経年変化に対しては調整を行うことはできないという問題点があった。
【００１１】そこで、本発明の目的は、
光ディスク、光学系の個体差により生じるエラー検出部のゲインのバラツキや、エラー検出部のオフセットのバラツキをエラー検出部内で自動的に補正するよう調整を行う
　
　(c)「【００１８】
【実施例】次に本発明に係る光ディスク装置の実施例につき、添付図面を参照しながら以下詳細に説明する。
【００１９】図１は、本発明の一実施例を示す光ディスク装置の主要部のブロック図である。なお、説明の都合上、図７に示す従来の構成部分と同一部分については、同一の参照符号を付してその詳細な説明を省略する。すなわち、本実施例において
図７と異なる点はフォーカスエラー検出部３０′，トラッキングエラー検出部３２′およびプロセッサ４０内に新たに設けたエラー検出部オフセット・ゲイン調整部４６である。また、図２は両検出部３０′，３２′を構成するＡＭＰ部７０′であり、図８に示す従来のＡＭＰ部７０と異なる点は、図８の抵抗Ｒ
１
の代わりに入力抵抗群７１および図１に示すオフセット・ゲイン調整部４６からの信号ＧＣによりオン・オフするトランジスタスイッチ群７３を設け、可変抵抗ＶＲの代わりにｎ個の抵抗ｒ（ここでｒ＜＜Ｒ
２
）からなる分割抵抗７５および図１に示すオフセット・ゲイン調整部４６からの信号ＯＣによりオン・オフするスイッチ群７７とを設けている点である。なお、フォーカスエラー検出部３０′およびトラッキングエラー検出部３２′は、従来と同様にそれぞれフォトダイオード（ＰＤ）部と増幅回路（ＡＭＰ）部７０′とから構成され、フォーカスエラー検出部３０′とトラッキングエラー検出部３２′とではＰＤ部が異なるだけであり、このＰＤ部の構成は従来の図９，図１０に示すＰＤ部６０と同じである
【００２０】このように、本実施例では
プロセッサ４０内にエラー検出部オフセット・ゲイン調整部４６を設け、このエラー検出部オフセット・ゲイン調整部４６の出力によって、ＡＭＰ部７０′のゲインとオフセットを自動的に調整する機能を設け
【００２１】次に、
フォーカスエラー検出部３０′のＡＭＰ部７０′の動作について図２を参照しながら説明する。先ず、ＡＭＰ部７０′の入力電流Ｉ
１
，Ｉ
２
は、Ｉ−Ｖ変換アンプ７２，７４によってそれぞれ電圧Ｖ
１
，Ｖ
２
に変換される。この電圧Ｖ
１
，Ｖ
２
は、トランジスタスイッチ群７３と入力抵抗群７１からなるシリーズの並列結合を介して差動アンプ７６に入力される。トランジスタスイッチ群７３は、プロセッサ４０内のエラー検出部オフセット・ゲイン調整部４６から送られてくる信号ＧＣによりオン・オフされる。このオン・オフは、電圧Ｖ
１
に対する抵抗群と、電圧Ｖ
２
に対する抵抗群とで連動している。この信号ＧＣによるオン・オフで差動アンプ７６のゲインを変えることができる。電圧Ｖ
ＲＥＦ
は、電源電圧ＶＰ，ＶＮを分圧抵抗群７５により分圧することにより生成され、分圧比はエラー検出部オフセット・ゲイン調整部４６から送られてくる信号ＯＣにより、トランジスタスイッチ群７７をオン・オフすることによって決定される
【００２２】図３は、プロセッサ４０内のエラー検出部オフセット・ゲイン調整部４６の調整動作のフローを示す図であり、図４はその調整動作時のフォーカスエラー検出信号ＦＥ（実際はディジタル信号であるが、便宜上アナログで表現している）を示す説明図である。以下、エラー検出部オフセット・ゲイン調整部４６で実行される調整動作について説明する。
【００２３】先ず、光ディスク装置を立ち上げ状態にし、図３のステップ１００において、フォーカスエラー信号ＦＥのＤＣレベル、すなわちオフセットを測定する。次のステップ１０２においてＤＣレベルが所定範囲内、すなわちＡＤＣ３４の中央値近傍（中央値±α）にあるかどうかを判定する。中央値近傍に無い場合、ステップ１０４へ進み、オフセット変更、すなわちＶＲＥＦ変更指令信号ＯＣをフォーカスエラー検出部３０′のＡＭＰ部７０′に対し出力する。これにより信号ＦＥは図４の（Ａ）に示す状態１から、調整されて図４の（Ｂ）に示す状態２に推移する。ＤＣレベルがＡＤＣ３４の中央値に略一致するまで、ステップ１００乃至ステップ１０４を繰返し、ＤＣレベルが所定範囲内に入った場合には次のステップ１０６へ進み、フォーカスサーチ動作を行う。この動作はフォーカスアクチュエータ２２を光ディスク１０に近づけたり遠ざけたりする動作であり、この動作により得られるフォーカスエラー信号ｆｅのピーク・トウ・ピークＦＥｐｐ値をステップ１０８において測定する。信号ｆｅがＡＤＣ３４の最大レンジを越えている場合、図４の（Ｃ）に示す状態３のように、ＡＤＣ３４において信号ＦＥはリミッタのかかったような波形となる。ステップ１１０において、ＦＥｐｐ値が所定範囲内、すなわちＡＤＣ３４の所要レンジ（最大レンジの８０％程度）内かどうかを判定し、所要レンジ外である場合にはステップ１１２へ進み、ゲイン変更指令ＧＣをフォーカスエラー検出部３０′のＡＭＰ部７０′に対し出力して、次式で示すようなゲイン変更を行う。　
【００２４】・・・（省略）・・・
【００２５】ただし、上式でｋ×ＡＤＣ最大レンジはＡＤＣ３４の所要レンジ（０＜ｋ≦１）を表す。この動作により、信号ＦＥは図４の（Ｃ）に示す状態３から（Ｄ）の状態４にゲイン調整がなされる。ＦＥｐｐ値がＡＤＣ３４の所要レンジ内になっていない場合には再びステップ１０６に戻り、ゲイン調整を繰返す。ＦＥｐｐ値がＡＤＣ３４の所要レンジ内になると調整は終了する。」
　
　(c)「【００３１】
【発明の効果】前述した実施例から明らかなように、本発明によれば、フォーカスエラー検出部のオフセットとゲイン、およびトラッキングエラー検出部のオフセットとゲインを各個自動的に調整することにより、エラー信号をプロセッサ内に取り込むために必要なＡＤコンバータに関して、ダイナミックレンジの広い高価なＡＤコンバータを使用する必要がなくなる。これにより、ダイナミックレンジの狭い安価なＡＤコンバータを使用することが可能となる。」
　
　以上の記載を、図面を参照して整理すると、刊行物には以下の発明が記載されているものと認める。
　「光ディスク１０に対して光ヘッド２０を対向するよう配置し、
　光ヘッド２０は、光ヘッド２０を上下方向に移動させるフォーカスアクチュエータ２２と、半径方向に移動させるトラッキングアクチュエータ２４と、光スポット２６の反射光により、光ディスク１０上の光スポット２６の合焦（ジャストフォーカス）位置からの偏差および光スポット２６とトラックの中心との位置偏差を検出するための光学系２８を有し、
　さらに、フォーカスエラー検出部３０′と、トラッキングエラー検出部３２′と、光ヘッド２０の制御を行うプロセッサ４０とを備え、
　フォーカスエラー検出部３０′およびトラッキングエラー検出部３２′は、それぞれフォトダイオード（ＰＤ）部と増幅回路（ＡＭＰ）部７０′とから構成され、ＰＤ部の構成はフォーカスエラー検出部３０の場合４分割のフォトダイオード（ＰＤ(マルに１)〜ＰＤ(マルに４)）からなり、光ディスク１０からの光スポット２６の反射光を入力とし、フォトダイオードの対角成分（ＰＤ(マルに１)とＰＤ(マルに３)、ＰＤ(マルに２)とＰＤ(マルに４)）に流れる電流を出力するものであり、
　プロセッサ４０は、フォーカスエラー検出部３０′からのフォーカスエラー信号ｆｅをアナログ／ディジタルコンバータ（以下、ＡＤコンバータまたはＡＤＣと称する）３４によりディジタル化した信号ＦＥに基づいてフォーカスドライブ信号ＦＤを出力するフォーカス制御部４２と、トラッキングエラー検出部３２′からのトラッキング信号ｔｅをＡＤＣ３６によりディジタル化した信号ＴＥに基づいてトラッキングドライブ信号ＴＤを出力するトラッキング制御部４４と、エラー検出部オフセット・ゲイン調整部４６を有する光ディスク装置において、
　上記エラー検出部オフセット・ゲイン調整部４６は、上記増幅回路（ＡＭＰ）部７０′のゲインとオフセットを自動的に調整する機能を設け、
　フォーカスエラー検出部３０′のＡＭＰ部７０′の動作は、ＡＭＰ部７０′の入力電流Ｉ１，Ｉ２がＩ−Ｖ変換アンプ７２，７４によってそれぞれ電圧Ｖ１，Ｖ２に変換され、トランジスタスイッチ群７３と入力抵抗群７１からなるシリーズの並列結合を介して差動アンプ７６に入力され、トランジスタスイッチ群７３は、プロセッサ４０内のエラー検出部オフセット・ゲイン調整部４６から送られてくる信号ＧＣによりオン・オフされ、このオン・オフは、電圧Ｖ１に対する抵抗群と、電圧Ｖ２に対する抵抗群とで連動して、この信号ＧＣによるオン・オフで差動アンプ７６のゲインを変え、電圧ＶＲＥＦは、電源電圧ＶＰ，ＶＮを分圧抵抗群７５により分圧することにより生成され、分圧比はエラー検出部オフセット・ゲイン調整部４６から送られてくる信号ＯＣにより、トランジスタスイッチ群７７をオン・オフすることによって決定され、
　光ディスク１０、光学系２８およびＰＤ部６０の個体差により生じるエラー検出部のゲインのバラツキや、エラー検出部のオフセットのバラツキをエラー検出部内で自動的に補正するよう調整を行う光ディスク装置。」（なお、記号は図面と対応させるために付した。以下「刊行物発明」という。）
　
　
　３．対比・判断
　〔対比〕
　本願発明と刊行物発明とを対比する。
　(i)刊行物発明の「光ディスク１０」は本願発明の「光ディスク」に、刊行物発明の「光ディスク１０上の光スポット２６の合焦（ジャストフォーカス）」は、光源として半導体レーザを有し、光ディスク面へ合焦していく集光機能物として対物レンズを、各々想定可能であるから、本願発明の「レーザ光を光ディスク面に集光する対物レンズ」に、刊行物発明の光ディスクからの反射光を入力とする「検出部」は、本願発明の「光ディスク面からの反射光を検出する光検出器」に、刊行物発明の検出部の一部を構成する「４分割のフォトダイオード」は、本願発明の「受光部が４つの領域に分割された分割フォトダイオード」に、刊行物発明の「光ヘッド２０」は、本願発明の「光ピックアップ」に各々相当するものである。
　よって、刊行物発明の「光ディスク１０に対して光ヘッド２０を対向するよう配置し、光ヘッド２０は、光ヘッド２０を上下方向に移動させるフォーカスアクチュエータ２２と、半径方向に移動させるトラッキングアクチュエータ２４と、光スポット２６の反射光により、光ディスク１０上の光スポット２６の合焦（ジャストフォーカス）位置からの偏差および光スポット２６とトラックの中心との位置偏差を検出するための光学系２８を有し、・・・、フォーカスエラー検出部３０′およびトラッキングエラー検出部３２′は、それぞれフォトダイオード（ＰＤ）部と増幅回路（ＡＭＰ）部７０′とから構成され、ＰＤ部の構成はフォーカスエラー検出部３０の場合４分割のフォトダイオード（ＰＤ(マルに１)〜ＰＤ(マルに４)）からなり、光ディスク１０からの光スポット２６の反射光を入力」は、本願発明の「光ディスクに対してレーザ光を照射する半導体レーザと、この半導体レーザから光ディスクに対して照射されたレーザ光を光ディスク面に集光する対物レンズと、この対物レンズを介して光ディスク面上に照射されたレーザ光に対する光ディスク面からの反射光を検出する光検出器とを有し、光検出器の受光部が４つの領域に分割された分割フォトダイオードで構成された光ピックアップ」の構成を有している点で共通する。
　
　(ii)刊行物発明における「フォーカスエラー検出部３０′と、トラッキングエラー検出部３２′と、光ヘッド２０の制御を行うプロセッサ４０」及び「フォーカスエラー検出部３０′からのフォーカスエラー信号ｆｅを信号ＦＥに基づいてフォーカスドライブ信号ＦＤを出力するフォーカス制御部４２と、トラッキングエラー検出部３２′からのトラッキング信号ｔｅを信号ＴＥに基づいてトラッキングドライブ信号ＴＤを出力するトラッキング制御部４４」において、少なくとも「フォーカス制御部」「トラッキング制御部」及び「光ヘッドの制御を行うプロセッサ」のもつ機能は、本願発明の「光検出器から出力された信号に基づいて、対物レンズを介して光ディスク面に照射する光の集光点の光ディスク面に対するずれ量に対応する信号であるフォーカスエラー信号と、対物レンズを介して光ディスク面に照射する光の集光点の光ディスク面上におけるトラックからのずれ量に対応する信号であるトラッキングエラー信号とを生成する信号処理部」及び「信号処理部から出力されたフォーカスエラー信号とトラッキングエラー信号とに基づいて、対物レンズの位置を調整して、半導体レーザにより照射されるレーザ光の集光位置を調整するサーボ制御手段」の点で共通する。
　
　(iii)刊行物発明におけるフォーカス検出であるが、「ＰＤ部の構成はフォーカスエラー検出部３０の場合４分割のフォトダイオード（ＰＤ(マルに１)〜ＰＤ(マルに４)）からなり、光ディスク１０からの光スポット２６の反射光を入力とし、フォトダイオードの対角成分（ＰＤ(マルに１)とＰＤ(マルに３)、ＰＤ(マルに２)とＰＤ(マルに４)）に流れる電流を出力」との記載があり、少なくともフォーカスエラー検出部の光ディスクからの反射光を入力しての対角成分からの信号の出力は、本願発明の「信号処理部が非点収差法でフォーカスエラー信号を生成」することを含むことで共通する。
　
　(iv)刊行物発明の「光ディスク装置」は、通常、記録再生装置ないし再生装置であるから、本願発明の「光ディスク再生装置」を含むことで共通する。
　
　(v)刊行物発明における「フォーカスエラー検出部３０′と、トラッキングエラー検出部３２′と、光ヘッド２０の制御を行うプロセッサ４０とを備え」なるプロセッサ４０は、各検出部等の動作形態が上記(i)〜(iii)であることを踏まえると、本願発明の「前記光ピックアップ、前記信号処理部、前記サーボ制御手段を制御する制御手段」を有している点で共通する。また、同プロセッサ４０が有する「エラー検出部オフセット・ゲイン調整部４６は、上記増幅回路（ＡＭＰ）部７０′のゲインとオフセットを自動的に調整」するは、本願発明の「検出信号のレベルを調整するレベル調整手段」と共通する。加えて、刊行物発明の「フォーカスエラー検出部３０′のＡＭＰ部７０′の動作は、ＡＭＰ部７０′の入力電流Ｉ１，Ｉ２がＩ−Ｖ変換アンプ７２，７４によってそれぞれ電圧Ｖ１，Ｖ２に変換され、トランジスタスイッチ群７３と入力抵抗群７１からなるシリーズの並列結合を介して差動アンプ７６に入力され、トランジスタスイッチ群７３は、プロセッサ４０内のエラー検出部オフセット・ゲイン調整部４６から送られてくる信号ＧＣによりオン・オフされ、このオン・オフは、電圧Ｖ１に対する抵抗群と、電圧Ｖ２に対する抵抗群とで連動して、この信号ＧＣによるオン・オフで差動アンプ７６のゲインを変え、電圧ＶＲＥＦは、電源電圧ＶＰ，ＶＮを分圧抵抗群７５により分圧することにより生成され、分圧比はエラー検出部オフセット・ゲイン調整部４６から送られてくる信号ＯＣにより、トランジスタスイッチ群７７をオン・オフすることによって決定」の記載は、【図１】及び【図２】を参酌して、受光部からの検出信号は「複数のアンプ回路」（【図２】）と「アナログ信号をディジタル信号に変換するＡ／Ｄコンバータ」（【図１】）を介して、プロセッサ４０内の「エラー検出部オフセット・ゲイン調整部４６」に取り込まれる記載がされており、結局、本願発明の「レベル調整手段は、各受光部からの各検出信号のレベルを調整するための複数のアンプ回路と、これら各アンプ回路から出力された各アナログ信号をデジタル信号に変換する複数のＡ／Ｄコンバータと、これら各Ａ／Ｄコンバータから出力された各デジタル信号を前記制御手段に取り込むための配線とを有し」との構成で共通する。
　
　(vi)刊行物発明の「光ディスク１０、光学系２８およびＰＤ部６０の個体差により生じるエラー検出部のゲインのバラツキや、エラー検出部のオフセットのバラツキをエラー検出部内で自動的に補正」であるが、オフセットとゲイン調整は「光ディスク１０、光学系２８およびＰＤ部６０の個体差により生じる」ことで補正しようとするもので、信号処理部が正確なフォーカス信号を生成するためのものであることは自明であるし、その処理はフォーカスサーチが行われているときに検出して処理していることから、本願発明の「制御手段は、各受光部からの各検出信号のレベルの相違の問題を解消するために、フォーカスサーチ動作が行われているときに、配線を介して各Ａ／Ｄコンバータから取り込んだ各デジタル信号に基づいて、制御し、これらの各アナログ信号に基づいて、信号処理部が正確なフォーカスエラー信号を生成する」と共通する。
　
　結局、両発明の［一致点］及び［相違点］は、以下のとおりである。
　［一致点］
　「光ディスクに対してレーザ光を照射する半導体レーザと、この半導体レーザから光ディスクに対して照射されたレーザ光を光ディスク面に集光する対物レンズと、この対物レンズを介して光ディスク面上に照射されたレーザ光に対する光ディスク面からの反射光を検出する光検出器とを有し、前記光検出器の受光部が４つの領域に分割された分割フォトダイオードで構成された光ピックアップと、
　前記光検出器から出力された信号に基づいて、前記対物レンズを介して光ディスク面に照射する光の集光点の光ディスク面に対するずれ量に対応する信号であるフォーカスエラー信号と、前記対物レンズを介して光ディスク面に照射する光の集光点の光ディスク面上におけるトラックからのずれ量に対応する信号であるトラッキングエラー信号とを生成する信号処理部と、
　前記信号処理部から出力されたフォーカスエラー信号とトラッキングエラー信号とに基づいて対物レンズの位置を調整して、半導体レーザにより照射されるレーザ光の集光位置を調整するサーボ制御手段と、
　前記光ピックアップ、前記信号処理部、前記サーボ制御手段を制御する制御手段とを備え、
　前記信号処理部が非点収差法でフォーカスエラー信号を生成する光ディスク再生装置において、
　前記光検出器における分割された各受光部からの検出信号のレベルを調整するレベル調整手段をさらに備え、
　前記レベル調整手段は、前記各受光部からの各検出信号のレベルを調整するための複数のアンプ回路と、これら各アンプ回路から出力された各アナログ信号をデジタル信号に変換する複数のＡ／Ｄコンバータと、これら各Ａ／Ｄコンバータから出力された各デジタル信号を前記制御手段に取り込むための配線とを有し、  
　前記制御手段は、前記各受光部からの各検出信号のレベルの相違の問題を解消するために、フォーカスサーチ動作が行われているときに、前記配線を介して前記各Ａ／Ｄコンバータから取り込んだ各デジタル信号に基づいて、制御し、これらの各アナログ信号に基づいて、前記信号処理部が正確なフォーカスエラー信号を生成するようにしたことを特徴とする光ディスク再生装置。」の点。
　
　［相違点］
　イ．本願発明は光ディスクに記録された情報を再生するＲＦ信号について「光ディスクに記録されている情報に対応したＲＦ信号」「前記信号処理部から出力されたＲＦ信号に基づいて光ディスクに記録された映像、音声等の情報を再生する情報再生手段」「前記情報再生手段」とする記載があるものの、刊行物発明には上記事項について記載がない点。
　
　ロ．レベル調整手段について、本願発明は複数の回路素子を設けることでの「複数の配線」について、刊行物発明には言及されていない点。
　
　ハ．各受光部からの各検出信号のレベルを調整することについて、本願発明は「前記光検出器の貼り付けが機械的に行われることに起因する、前記各受光部からの各検出信号のレベルの相違の問題を解消するために、フォーカスサーチ動作が行われているときに、前記各配線を介して前記各Ａ／Ｄコンバータから取り込んだ各デジタル信号に基づいて、前記各アンプ回路から出力される各アナログ信号のレベルが同じレベルとなるように前記各アンプ回路を制御」というものであるが、刊行物発明にはこの構成について記載がない点。
　
　〔判断〕
　相違点イ．について
　刊行物発明は光ディスク装置で、上記「光ディスク装置」は記録再生装置乃至再生装置であるから、本願発明の「光ディスク再生装置」を含むことで共通すると、上記(iv)で認定したとおりである。そして、光ディスク再生装置として光ディスクからの信号としてＲＦ信号を得て映像、音声等の情報を再生する情報再生手段は自明であるから、上記相違点「光ディスクに記録されている情報に対応したＲＦ信号」「前記信号処理部から出力されたＲＦ信号に基づいて光ディスクに記録された映像、音声等の情報を再生する情報再生手段」「前記情報再生手段」を備える構成は当業者が適宜成し得るものである。
　
　相違点ロ．について
　刊行物発明は、その発明を実施できる範囲内での表現で記載しているもので、部品間の接続を、上記「複数の配線」とする構成は実施形態の必然的構成、ないし設計的事項の範囲と認める。
　
　相違点ハ．について
　刊行物発明のオフセット・ゲイン調整は光ディスク、光学系の個体差に応じた調整であるとしているが、検出器の機械的な位置ずれにおいても生ずることは、例えば特開平２−192029号公報に記載があるように周知事項であるから、刊行物発明においても「光検出器の貼り付けが機械的に行われることに起因する」場合もオフセット・ゲイン調整の対象とすることは適宜成し得るものである。
　また、本願発明はレベル調整を「各受光部からの各検出信号の調整」と、光検出器の各受光素子に接続されたアンプ回路でレベル調整をしているが、この各素子単位において各受光部の出力レベルが揃うように調整することは原査定の拒絶の理由に引用された特開平６−111344号公報の【０００７】、前置報告で引用する実願平１−91303号（実開平３−32721号）のマイクロフィルムの１頁16〜17行，５頁11〜15行，８頁８行〜９頁９行等に記載があるように周知であり、また各アンプ回路とはどこまでをアンプ回路として含めているか明確でないが、出力レベルで揃うようにしていることから、「アンプ回路を制御」は設計的事項のものと解されるから、刊行物発明においても「各アンプ回路から出力される各アナログ信号のレベルが同じレベルとなるように前記各アンプ回路を制御」することは必要に応じて適宜なし得るものである。
　
　そして、上記各相違点につての判断を総合しても本願発明の奏する効果は刊行物発明及び周知技術から当業者が十分に予測可能なものであって格別のものとはいえない。
　
　よって、本願発明は、刊行物に記載された発明及び周知技術に基づいて、当業者が容易に発明をすることができたものと認められるから、特許法第29条第２項の規定より特許を受けることができないものである。
　
　
　４．むすび
　以上のとおりであるから、本願請求項１に係る発明は、特許法29条第２項の規定により特許を受けることができないとした原査定は妥当なものである。
　したがって、本願は、その余の請求項について論及するまでもなく、拒絶すべきものである。
　
　よって、結論のとおり審決する。